(57)【要約】【課題】呼吸停止撮像又は呼吸同期撮像において、被検体の個人差による画質の劣化を抑えることができる医用画像診断装置を提供すること。【解決手段】実施形態に係る医用画像診断装置は、測定部と、出力部とを備える。測定部は、呼吸に関する指示が被検体に与えられたときの当該指示に応答する前記被検体の応答特性を測定する。出力部は、前記被検体から観測された呼吸波形と前記応答特性とに基づいて、前記呼吸に関する指示を出力する。【選択図】図１
2018108307.tif 000002
【特許請求の範囲】
【請求項１】
呼吸に関する指示が被検体に与えられたときの当該指示に応答する前記被検体の応答特性を測定する測定部と、
前記被検体から観測された呼吸波形と前記応答特性とに基づいて、前記呼吸に関する指示を出力する出力部と
を備える、医用画像診断装置。
【請求項２】
前記測定部は、前記応答特性として、前記指示が前記被検体に与えられてから前記指示に反応して前記被検体が動作を開始するまでの時間である反応時間を測定する、
請求項１に記載の医用画像診断装置。
【請求項３】
前記測定部は、被検体から磁気共鳴信号を収集して呼吸動を検出するためのナビゲータスキャンによって得られた前記被検体の呼吸信号に基づいて、前記反応時間を測定する、
請求項２に記載の医用画像診断装置。
【請求項４】
前記測定部は、前記被検体から観測された呼吸波形の当該呼吸波形から抽出された特徴に基づいて、前記反応時間を測定する、
請求項２又は３に記載の医用画像診断装置。
【請求項５】
前記測定部は、前記被検体から観測された呼吸波形と前記特徴との複合情報に基づいて、前記反応時間を測定する、
請求項４に記載の医用画像診断装置。
【請求項６】
前記測定部は、前記特徴として、前記呼吸波形の微分波形を用いる、
請求項４又は５に記載の医用画像診断装置。
【請求項７】
前記出力部は、前記被検体から観測された呼吸波形又は前記呼吸波形と前記特徴との複合情報に基づいて、前記被検体に前記動作を開始させるタイミングを推定し、推定したタイミングから前記反応時間を差し引いたタイミングで、前記呼吸に関する指示を出力する、
請求項４〜６のいずれか一つに記載の医用画像診断装置。
【請求項８】
前記測定部は、前記反応時間を再測定し、
前記出力部は、再測定された前記反応時間に基づいて、前記呼吸に関する指示を出力するタイミングを調整する、
請求項２〜７のいずれか一つに記載の医用画像診断装置。
【請求項９】
前記測定部は、前記被検体の心拍情報に基づいて、当該被検体のリラックス度を判定し、当該リラックス度が所定の閾値を超えていた場合に、前記反応時間を測定する、
請求項２〜８のいずれか一つに記載の医用画像診断装置。
【請求項１０】
前記測定部は、前記呼吸に関する指示の種類ごとに、前記反応時間を測定し、
前記出力部は、前記指示の種類に応じた反応時間に基づいて、前記呼吸に関する指示を出力する、
請求項２〜９のいずれか一つに記載の医用画像診断装置。
【請求項１１】
前記測定部は、前記被検体から観測された呼吸波形における波形の連続性又は不連続性を検出し、当該連続性又は不連続性が検出された範囲に基づいて、反応時間を測定する、
請求項２〜１０のいずれか一つに記載の医用画像診断装置。
【請求項１２】
前記出力部は、前記呼吸に関する指示を伴う撮像が行われる際に、前記指示を出力してから前記反応時間が経過するまでの間に、ｋ空間の高周波成分に対応するデータの収集、プリパルスの印加、又は、プリスキャンを行うように前記撮像を制御する、
請求項２〜１１のいずれか一つに記載の医用画像診断装置。
【発明の詳細な説明】
【技術分野】
【０００１】
本発明の実施形態は、医用画像診断装置に関する。
【背景技術】
【０００２】
従来、医用画像診断装置を用いた腹部や心臓等の検査において、被検体の呼吸動によって画像に生じるアーチファクトを軽減するための方法として、被検体に息止めをさせた状態で撮像を行う呼吸停止撮像や、被検体の呼吸に同期しながら撮像を行う呼吸同期撮像が知られている。
【先行技術文献】
【特許文献】
【０００３】
【特許文献１】特開２０１４−１９５５９４号公報
【発明の概要】
【発明が解決しようとする課題】
【０００４】
本発明が解決しようとする課題は、呼吸停止撮像又は呼吸同期撮像において、被検体の個人差による画質の劣化を抑えることができる医用画像診断装置を提供することである。
【課題を解決するための手段】
【０００５】
実施形態に係る医用画像診断装置は、測定部と、出力部とを備える。測定部は、呼吸に関する指示が被検体に与えられたときの当該指示に応答する前記被検体の応答特性を測定する。出力部は、前記被検体から観測された呼吸波形と前記応答特性とに基づいて、前記呼吸に関する指示を出力する。
【図面の簡単な説明】
【０００６】
【図１】図１は、第１の実施形態に係る磁気共鳴イメージング（Magnetic  Resonance  Imaging：ＭＲＩ）装置の構成例を示す図である。
【図２】図２は、第１の実施形態に係るＭＲＩ装置によって実行される呼吸停止撮像の処理手順を示す図である。
【図３】図３は、第１の実施形態に係る測定機能によって測定される呼吸波形の一例を示す図である。
【図４】図４は、第１の実施形態における測定機能によって測定される反応時間の一例を示す図である。
【図５】図５は、第１の実施形態における出力機能によって行われる呼吸ガイダンスのタイミングの算出の一例を示す図である。
【図６】図６は、第１の実施形態における出力機能によって行われる呼吸ガイダンスのタイミングの算出の一例を示す図である。
【図７】図７は、第１の実施形態における出力機能によって行われる呼吸ガイダンスの実施の一例を示す図である。
【図８】図８は、第１の実施形態における出力機能によって行われる呼吸ガイダンスの実施の一例を示す図である。
【図９】図９は、第２の実施形態の変形例における出力機能によって行われる呼吸ガイダンスの実施の一例を示す図である。
【発明を実施するための形態】
【０００７】
以下、図面を参照して、医用画像診断装置の実施形態について説明する。なお、以下では、医用画像診断装置の一例である磁気共鳴イメージング装置の実施形態について説明する。
【０００８】
（第１の実施形態）
図１は、第１の実施形態に係るＭＲＩ装置の構成例を示す図である。例えば、図１に示すように、ＭＲＩ装置１００は、静磁場磁石１、傾斜磁場コイル２、傾斜磁場電源３、送信コイル４、送信回路５、受信コイル６、受信回路７、架台８、寝台９、入力回路１０、ディスプレイ１１、記憶回路１２、処理回路１３〜１６、及び、スピーカ１７を備える。
【０００９】
静磁場磁石１は、中空の略円筒状（円筒の中心軸に直交する断面が楕円状となるものを含む）に形成され、内側の空間に一様な静磁場を発生させる。例えば、静磁場磁石１は、略円筒状に形成された真空容器と、当該真空容器内に充填された冷却液（例えば、液体ヘリウム等）に浸漬された超伝導磁石や常伝導磁石等の磁石とを有しており、真空容器の内側の空間に静磁場を発生させる。
【００１０】
傾斜磁場コイル２は、中空の略円筒状（円筒の中心軸に直交する断面が楕円状となるものを含む）に形成され、静磁場磁石１の内側に配置される。傾斜磁場コイル２は、互いに直交するｘ軸、ｙ軸及びｚ軸それぞれに沿った傾斜磁場を発生させる３つのコイルを備える。ここで、ｘ軸、ｙ軸及びｚ軸は、ＭＲＩ装置１００に固有の装置座標系を構成する。例えば、ｘ軸の方向は、水平方向に設定され、ｙ軸の方向は、鉛直方向に設定される。また、ｚ軸の方向は、静磁場磁石１によって発生する静磁場の磁束の方向と同じに設定される。
【００１１】
傾斜磁場電源３は、傾斜磁場コイル２が備える３つのコイルそれぞれに個別に電流を供給することで、ｘ軸、ｙ軸及びｚ軸それぞれに沿った傾斜磁場を内側の空間に発生させる。ｘ軸、ｙ軸及びｚ軸それぞれに沿った傾斜磁場を適宜に発生させることによって、互いに直交するリードアウト方向、位相エンコード方向、及びスライス方向それぞれに沿った傾斜磁場を発生させることができる。
【００１２】
ここで、リードアウト方向、位相エンコード方向、及びスライス方向それぞれに沿った軸は、撮像の対象となるスライス領域又はボリューム領域を規定するための論理座標系を構成する。なお、以下では、リードアウト方向に沿った傾斜磁場をリードアウト傾斜磁場と呼び、位相エンコード方向に沿った傾斜磁場を位相エンコード傾斜磁場と呼び、スライス方向に沿った傾斜磁場をスライス傾斜磁場と呼ぶ。
【００１３】
そして、各傾斜磁場は、静磁場磁石１によって発生する静磁場に重畳され、磁気共鳴（Magnetic  Resonance：ＭＲ）信号に空間的な位置情報を付与するために用いられる。具体的には、リードアウト傾斜磁場は、リードアウト方向の位置に応じてＭＲ信号の周波数を変化させることで、ＭＲ信号にリードアウト方向に沿った位置情報を付与する。また、位相エンコード傾斜磁場は、位相エンコード方向に沿ってＭＲ信号の位相を変化させることで、ＭＲ信号に位相エンコード方向の位置情報を付与する。また、スライス傾斜磁場は、撮像領域がスライス領域の場合には、スライス領域の方向、厚さ、枚数を決めるために用いられ、撮像領域がボリューム領域である場合には、スライス方向の位置に応じてＭＲ信号の位相を変化させることで、ＭＲ信号にスライス方向に沿った位置情報を付与する。
【００１４】
送信コイル４は、内側の空間に高周波磁場を印加する。具体的には、送信コイル４は、中空の略円筒状（円筒の中心軸に直交する断面が楕円状となるものを含む）に形成され、傾斜磁場コイル２の内側に配置される。そして、送信コイル４は、送信回路５から出力される高周波（Radio  Frequency：ＲＦ）パルスに基づいて、内側の空間に高周波磁場を印加する。
【００１５】
送信回路５は、ラーモア周波数に対応する高周波パルスを送信コイル４に出力する。例えば、送信回路５は、発振回路、位相選択回路、周波数変換回路、振幅変調回路、及び、高周波増幅回路を備える。発振回路は、静磁場中に置かれた対象原子核に固有の共鳴周波数の高周波パルスを発生する。位相選択回路は、発振回路から出力される高周波パルスの位相を選択する。周波数変換回路は、位相選択回路から出力される高周波パルスの周波数を変換する。振幅変調回路は、周波数変換回路から出力される高周波パルスの振幅を例えばｓｉｎｃ関数に従って変調する。高周波増幅回路は、振幅変調回路から出力される高周波パルスを増幅して送信コイル４に出力する。
【００１６】
受信コイル６は、被検体Ｓから発せられるＭＲ信号を受信するＲＦコイルである。例えば、受信コイル６は、送信コイル４の内側に配置された被検体Ｓに装着され、送信コイル４によって印加される高周波磁場の影響で被検体Ｓから発せられるＭＲ信号を受信する。そして、受信コイル６は、受信したＭＲ信号を受信回路７へ出力する。例えば、受信コイル６には、撮像対象の部位ごとに専用のコイルが用いられる。ここでいう専用のコイルは、例えば、頭部用の受信コイル、頚部用の受信コイル、肩用の受信コイル、胸部用の受信コイル、腹部用の受信コイル、下肢用の受信コイル、脊椎用の受信コイル等である。
【００１７】
受信回路７は、受信コイル６から出力されるＭＲ信号に基づいてＭＲ信号データを生成し、生成したＭＲ信号データを処理回路１４に出力する。例えば、受信回路７は、選択回路、前段増幅回路、位相検波回路、及び、アナログデジタル変換回路を備える。選択回路は、受信コイル６から出力されるＭＲ信号を選択的に入力する。前段増幅回路は、選択回路から出力されるＭＲ信号を増幅する。位相検波回路は、前段増幅回路から出力されるＭＲ信号の位相を検波する。アナログデジタル変換回路は、位相検波回路から出力されるアナログ信号をデジタル信号に変換することでＭＲ信号データを生成し、生成したＭＲ信号データを処理回路１４に出力する。
【００１８】
なお、ここでは、送信コイル４が高周波磁場を印加し、受信コイル６がＭＲ信号を受信する場合の例を説明するが、各高周波コイルの形態はこれに限られない。例えば、送信コイル４が、ＭＲ信号を受信する受信機能をさらに有してもよいし、受信コイル６が、高周波磁場を印加する送信機能をさらに有していてもよい。送信コイル４が受信機能を有している場合は、受信回路７は、送信コイル４によって受信されたＭＲ信号からもＭＲ信号データを生成する。また、受信コイル６が送信機能を有している場合は、送信回路５は、受信コイル６にも高周波パルスを出力する。
【００１９】
架台８は、静磁場磁石１、傾斜磁場コイル２及び送信コイル４を収容する。具体的には、架台８は、円筒状に形成された中空のボアＢを有しており、静磁場磁石１、傾斜磁場コイル２及び送信コイル４がボアＢを囲むように配置された状態で、静磁場磁石１、傾斜磁場コイル２及び送信コイル４それぞれを支持する。ここで、架台８におけるボアＢの内側の空間が、被検体Ｓの撮像が行われる際に被検体Ｓが配置される撮像空間となる。
【００２０】
寝台９は、被検体Ｓが載置される天板９ａを備え、被検体Ｓの撮像が行われる際に、架台８におけるボアＢの内側へ天板９ａを挿入する。例えば、寝台９は、長手方向が静磁場磁石１の中心軸と平行になるように設置される。
【００２１】
入力回路１０は、操作者から各種指示及び各種情報の入力操作を受け付ける。具体的には、入力回路１０は、処理回路１６に接続されており、操作者から受け付けた入力操作を電気信号に変換して処理回路１６へ出力する。例えば、入力回路１０は、トラックボールやスイッチボタン、マウス、キーボード、タッチパネル等によって実現される。
【００２２】
ディスプレイ１１は、各種情報及び各種画像を表示する。具体的には、ディスプレイ１１は、処理回路１６に接続されており、処理回路１６から送られる各種情報及び各種画像のデータを表示用の電気信号に変換して出力する。例えば、ディスプレイ１１は、液晶モニタやＣＲＴ（Cathode  Ray  Tube）モニタ、タッチパネル等によって実現される。
【００２３】
記憶回路１２は、各種データを記憶する。具体的には、記憶回路１２は、ＭＲ信号データや画像データを被検体Ｓごとに記憶する。例えば、記憶回路１２は、ＲＡＭ（Random  Access  Memory）、フラッシュメモリ等の半導体メモリ素子やハードディスク、光ディスク等によって実現される。
【００２４】
処理回路１３は、寝台制御機能１３ａを有する。例えば、処理回路１３は、プロセッサによって実現される。寝台制御機能１３ａは、寝台９に接続され、制御用の電気信号を寝台９へ出力することで、寝台９の動作を制御する。例えば、寝台制御機能１３ａは、入力回路１０を介して、天板９ａを長手方向、上下方向又は左右方向へ移動させる指示を操作者から受け付け、受け付けた指示に従って天板９ａを移動するように、寝台９が有する天板９ａの駆動機構を動作させる。
【００２５】
処理回路１４は、実行機能１４ａを有する。例えば、処理回路１４は、プロセッサによって実現される。実行機能１４ａは、操作者によって設定された撮像条件に基づいて、各種スキャンを実行する。具体的には、処理回路１６から出力されるシーケンス実行データに基づいて傾斜磁場電源３、送信回路５及び受信回路７を駆動することで、各種パルスシーケンスを実行することで、各種スキャンを実行する。
【００２６】
ここで、シーケンス実行データは、ＭＲ信号データを収集するための手順を示すパルスシーケンスを定義した情報である。具体的には、シーケンス実行データは、傾斜磁場電源３が傾斜磁場コイル２に電流を供給するタイミング及び供給される電流の強さ、送信回路５が送信コイル４に供給する高周波パルスの強さや供給タイミング、受信回路７がＭＲ信号を検出する検出タイミング等を定義した情報である。
【００２７】
また、実行機能１４ａは、各種パルスシーケンスを実行した結果として、受信回路７からＭＲ信号データを受信し、受信したＭＲ信号データを記憶回路１２に格納する。なお、実行機能１４ａによって受信されたＭＲ信号データの集合は、前述したリードアウト傾斜磁場、位相エンコード傾斜磁場、及びスライス傾斜磁場によって付与された位置情報に応じて２次元又は３次元に配列されることで、ｋ空間を構成するデータとして記憶回路１２に格納される。
【００２８】
処理回路１５は、画像生成機能１５ａを有する。例えば、処理回路１５は、プロセッサによって実現される。画像生成機能１５ａは、記憶回路１２に格納されたＭＲ信号データに基づいて画像を生成する。具体的には、画像生成機能１５ａは、実行機能１４ａによって記憶回路１２に格納されたＭＲ信号データを読み出し、読み出したＭＲ信号データに後処理すなわちフーリエ変換等の再構成処理を施すことで画像を生成する。また、画像生成機能１５ａは、生成した画像の画像データを記憶回路１２に格納する。
【００２９】
処理回路１６は、制御機能１６ａを有する。例えば、処理回路１６は、プロセッサによって実現される。制御機能１６ａは、ＭＲＩ装置１００が有する各構成要素を制御することで、ＭＲＩ装置１００の全体制御を行う。例えば、制御機能１６ａは、入力回路１０を介して操作者から撮像条件（パルスシーケンスに関する各種のパラメータの入力等）を受け付け、受け付けた撮像条件に基づいてシーケンス実行データを生成する。そして、制御機能１６ａは、生成したシーケンス実行データを処理回路１４に送信することで、各種スキャンを実行する。また、例えば、制御機能１６ａは、操作者から要求された画像の画像データを記憶回路１２から読み出し、読み出した画像をディスプレイ１１に出力する。
【００３０】
なお、処理回路１６は、さらに、測定機能１６ｂと、出力機能１６ｃとを有する。これらの機能については、後に詳細に説明する。
【００３１】
ここで、上述した処理回路１３〜１６が有する各処理機能は、例えば、コンピュータによって実行可能なプログラムの形態で記憶回路１２に記憶される。各処理回路は、各プログラムを記憶回路１２から読み出し、読み出した各プログラムを実行することで、各プログラムに対応する処理機能を実現する。換言すると、各プログラムを読み出した状態の処理回路１３〜１６は、図１に示した各処理機能を有することとなる。
【００３２】
また、図１に示す例では、各処理回路が有する処理機能が単一の処理回路によって実現されることとしたが、実施形態はこれに限られない。各処理回路が有する処理機能は、単一又は複数の処理回路に適宜に分散又は統合されて実現されてもよい。
【００３３】
スピーカ１７は、処理回路１６から送られる電気信号を振動に変換して音声を出力する。例えば、スピーカ１７は、処理回路１６から送られる電気信号に応じて、呼吸に関する指示を伴う撮像で用いられる指示を音声で出力する。
【００３４】
なお、ここでいう呼吸に関する指示を伴う撮像には、例えば、被検体に息止めをさせた状態で撮像を行う呼吸停止（息止め）撮像や、被検体の呼吸に同期しながら撮像を行う呼吸同期撮像がある。ここで、呼吸同期撮像には、撮像実施中に最初の数回だけ指示を行うものもあれば、スキャン中に最後まで指示を続けるものもある。
【００３５】
以上、第１の実施形態に係るＭＲＩ装置１００の構成について説明した。このような構成のもと、本実施形態に係るＭＲＩ装置１００は、例えば、呼吸に関する指示を伴う撮像として、呼吸停止撮像を実行する機能を有する。
【００３６】
このような呼吸停止撮像が行われる場合に、効率よく、良好な画像を得るためには、被検体の協力（確実な呼吸停止）及び検査技師のオペレーションスキルが求められる。一般的に、被検体に息止めをさせる際には、被検体に呼吸のタイミングを指示（呼吸ガイダンス）することで、被検体に一定のリズムで呼吸をしてもらい、最後に、被検体に息止めを指示する。例えば、被検体への呼吸ガイダンスとしては、「息を吸って、吐いて、止めてください」というような音声が用いられる。被検体は、このような呼吸ガイダンスを聞き、指示に合わせて、息を吸ったり、息を吐いたり、息止めをする。そして、被検体への息止め指示（「止めてください」）の直後から、スキャンが実行される。
【００３７】
ここで、通常、呼吸振幅や呼吸周期等の呼吸の動作には被検体によって個人差がある。例えば、被検体ごとに呼吸の深さは異なり、呼吸が浅い被検体にとっては、「息を吸って」から「吐いて」までの間隔（または、「吐いて」から「止めてください」までの間隔）が長すぎると、息を吸い続けている状態や息を吐き続けている状態が長くなりすぎてしまい、その後の息止めが辛くなる場合がある。また、呼気の途中にもかかわらず、「息を吸って」と吸気の指示があった場合には、被検体は息を吐き切ってから吸い込むことができず、適切な換気及びガス交換ができない場合がある。このような場合には、被検体が息止めを持続できず、その結果、１回の息止め撮影時間が短縮され、その分撮影回数の増加につながり検査時間が延長されることがあり得る。
【００３８】
そこで、例えば、被検体の呼吸位相の検出に応答してガイド情報を提供することによって、被検体の負担を軽減することが考えられる。
【００３９】
しかしながら、一般的に、呼吸に関する指示が被検体に与えられた時の当該指示に応答する被検体の応答特性は、被検体ごとに異なっている。例えば、呼吸に関する指示に対する反応時間は被検体ごとに異なっており、この反応時間によって、被検体が適切なタイミングで呼吸できない場合もあり得る。ここでいう反応時間は、呼吸に関する指示が被検体に与えられてから当該指示に反応して被検体が動作を開始するまでの時間である。例えば、反応時間や随意的な呼吸運動能力は被検体によって異なる。具体的には、被検体の年齢等によって、反応時間（知覚→認知及び判断→動作のプロセスの応答時間）が異なる。
【００４０】
このように、被検体ごとに反応時間が異なることによって被検体が適切なタイミングで呼吸できなくなると、被検体の負担が増加することになる。これにより、被検体が息止めを持続できなくなり、その結果、画質の劣化が生じることがあり得る。さらに、被検体が息止めを持続できなくなることから、１回の息止め撮影時間が短縮され、その分撮影回数の増加につながり検査時間が延長されることもあり得る。
【００４１】
このようなことから、第１の実施形態に係るＭＲＩ装置１００は、呼吸停止撮像において、被検体の個人差による画質の劣化を抑えることができるように構成されている。
【００４２】
具体的には、本実施形態に係るＭＲＩ装置１００では、測定機能１６ｂが、呼吸に関する指示が被検体に与えられたときの当該指示に応答する被検体の応答特性を測定する。また、出力機能１６ｃが、被検体から観測された呼吸波形と応答特性とに基づいて、呼吸に関する指示を出力する。なお、本実施形態では、測定機能１６ｂは、例えば、被検体の応答特性として、呼吸に関する指示が被検体に与えられてから当該指示に反応して被検体が動作を開始するまでの時間である反応時間を測定する。
【００４３】
図２は、第１の実施形態に係るＭＲＩ装置１００によって実行される呼吸停止撮像の処理手順を示す図である。なお、ここでは、プリスキャンにおいて、被検体の呼吸波形及び反応時間の測定を行い、本スキャンにおいて、呼吸停止撮像を行う場合の例を説明する。
【００４４】
例えば、図２に示すように、本実施形態では、測定機能１６ｂが、操作者からプリスキャン開始の指示を受け付けた場合に（ステップＳ１０１，Ｙｅｓ）、被検体の呼吸動を表す呼吸信号を収集する（ステップＳ１０２）。
【００４５】
具体的には、測定機能１６ｂは、制御機能１６ａに対してナビゲータスキャンを実行するように指示することで、呼吸信号を収集する。このとき、制御機能１６ａは、あらかじめ設定された撮像条件に基づいて、被検体から磁気共鳴信号を収集して呼吸動を検出するためのナビゲータスキャンを繰り返し実行する。例えば、制御機能１６ａは、被検体の横隔膜付近に設定された領域から磁気共鳴信号を収集するナビゲータスキャンを実行することで、被検体の頭尾方向における横隔膜の位置を示す呼吸信号を収集する。
【００４６】
ここで、測定機能１６ｂは、呼吸ガイダンスをせずに呼吸信号を収集した後に、呼吸ガイダンスをしながら呼吸信号を収集する。例えば、呼吸ガイダンスをしながらの呼吸信号の収集は、被検体に対する呼吸停止撮像のトレーニングとして行われる。本実施形態では、呼吸ガイダンスで被検体に与えられる呼吸に関する指示として、「息を吸って」、「吐いて」、及び「止めてください」の３種類の指示が用いられる。なお、測定機能１６ｂは、スピーカ１７を介して、これらの指示を音声で出力する。
【００４７】
その後、測定機能１６ｂは、ナビゲータスキャンによって得られた被検体の呼吸信号に基づいて、被検体の呼吸波形を測定する（ステップＳ１０３）。具体的には、測定機能１６ｂは、ナビゲータスキャンによって得られた被検体の呼吸信号のうち、呼吸ガイダンスをせずに収集された呼吸信号に基づいて、被検体の呼吸波形を測定する。
【００４８】
図３は、第１の実施形態に係る測定機能１６ｂによって測定される呼吸波形の一例を示す図である。図３において、横軸は時間を示しており、縦軸は呼吸信号の信号値を示している。また、図３において、実線の曲線は、呼吸信号の経時的な変化によって表される呼吸波形を示している。ここで、例えば、呼吸信号は、被検体の頭尾方向における横隔膜の位置を示しており、信号値が大きいほど、横隔膜が頭側に位置していることを示し、信号値が小さいほど、横隔膜が尾側に位置していることを示している。すなわち、呼吸信号は、信号値が極大となった場合に、被検体が息を吐き切った状態を示し、信号値が極小となった場合に、被検体が息を吸い切った状態を示すことになる。
【００４９】
さらに、測定機能１６ｂは、ナビゲータスキャンによって得られた被検体の呼吸信号に基づいて、被検体の反応時間を測定する（ステップＳ１０４）。具体的には、測定機能１６ｂは、ナビゲータスキャンによって得られた被検体の呼吸信号のうち、呼吸ガイダンスをしながら収集された呼吸信号に基づいて、被検体の反応時間を測定する。
【００５０】
例えば、測定機能１６ｂは、被検体から観測された呼吸波形における波形の連続性又は不連続性を検出し、連続性又は不連続性が検出された範囲に基づいて、反応時間を測定する。このとき、例えば、測定機能１６ｂは、被検体から観測された呼吸波形の当該呼吸波形から抽出された特徴に基づいて、反応時間を測定する。なお、本実施形態では、測定機能１６ｂは、呼吸波形の変化の特徴を抽出するため、微分波形を用いる。
【００５１】
図４は、第１の実施形態における測定機能１６ｂによって測定される反応時間の一例を示す図である。図４において、横軸は時間を示しており、縦軸は呼吸信号の信号値を示している。また、図４において、実線の曲線は、呼吸信号の経時的な変化によって表される呼吸波形を示しており、破線の曲線は、呼吸波形の微分波形を示している。
【００５２】
例えば、図４に示すように、測定機能１６ｂは、呼吸信号の微分波形を算出し、算出した微分波形における波形の連続性が失われている範囲Ｒを検出する。例えば、測定機能１６ｂは、呼吸信号の微分波形を予め用意されたテンプレートとなる連続性を有する波形と比較することで、波形の連続性が失われている範囲Ｒを検出する。そして、測定機能１６ｂは、呼吸に関する指示が出力された時点ＰＶから、検出した範囲Ｒが終了する時点ＰＤまでの時間を、反応時間ＲＴとして測定する。
【００５３】
ここで、測定機能１６ｂは、呼吸に関する指示の種類（「息を吸って」、「吐いて」、及び「止めてください」の３種類）ごとに、反応時間を測定する。具体的には、測定機能１６ｂは、被検体に「息を吸って」と指示したときの反応時間ＲＴ１と、被検体に「吐いて」と指示したときの反応時間ＲＴ２と、被検体に「止めてください」と指示したときの反応時間ＲＴ３とをそれぞれ測定する。なお、このように、呼吸に関する指示の種類ごとに反応時間を測定する理由は、指示の種類によって、被検体の反応時間が異なる場合があり得るからである。
【００５４】
図２に戻って、その後、出力機能１６ｃが、操作者から本スキャンを開始する指示を受け付けた場合に（ステップＳ１０５，Ｙｅｓ）、測定機能１６ｂによって測定された呼吸波形及び反応時間に基づいて、呼吸ガイダンスを実施する（ステップＳ１０６）。具体的には、出力機能１６ｃは、測定された呼吸波形に基づいて、被検体に動作を開始させるタイミングを推定し、推定したタイミングから反応時間を差し引いたタイミングで、呼吸に関する指示を出力する。ここで、出力機能１６ｃは、呼吸に関する指示の種類に応じた反応時間に基づいて、呼吸に関する指示を出力する。
【００５５】
図５及び６は、第１の実施形態における出力機能１６ｃによって行われる呼吸ガイダンスのタイミングの算出の一例を示す図である。図５及び６において、横軸は時間を示しており、縦軸は呼吸信号の信号値を示している。また、図５及び６において、実線の曲線は、呼吸信号の経時的な変化によって表される呼吸波形を示しており、破線の曲線は、呼吸波形の微分波形を示しており、一点鎖線の曲線は、反応時間を反映した場合の微分波形を示している。
【００５６】
ここで、図５は、被検体に「息を止めて」及び「吐いて」と指示したときの呼吸波形を示しており、図６は、被検体に予め決められた回数だけ「息を吸って」及び「吐いて」の指示をした後に「止めてください」の指示をしたときの呼吸波形を示している。
【００５７】
例えば、図５に示すように、出力機能１６ｃは、被検体に「息を止めて」及び「吐いて」と指示したときの呼吸波形に基づいて、被検体に息を吸わせるタイミングと、被検体に息を吐かせるタイミングとを推定する。
【００５８】
具体的には、出力機能１６ｃは、測定機能１６ｂによって測定された呼吸波形に基づいて、呼吸信号が極小となる時点ＰＩから呼吸信号が極大となる時点ＰＥまでの時間Ｔ１と、呼吸信号が極大となる時点ＰＥから呼吸信号が極小となる時点ＰＩまでの時間Ｔ２とを測定する。
【００５９】
このとき、例えば、出力機能１６ｃは、呼吸波形の微分波形を算出し、算出した微分波形に基づいて、時点ＰＩ及びＰＥをそれぞれ測定する。具体的には、出力機能１６ｃは、呼吸波形の微分波形において、微分値が減少する過程でゼロになる時点を特定し、特定した時点を、呼吸信号が極小となる時点ＰＩとする。また、出力機能１６ｃは、呼吸波形の微分波形において、微分値が増加する過程でゼロになる時点を特定し、特定した時点を、呼吸信号が極大となる時点ＰＥとする。
【００６０】
その後、出力機能１６ｃは、呼吸波形に基づいて、被検体に息を吸わせるタイミングを推定する。ここで、呼吸信号が極小となる時点ＰＩから極大となる時点ＰＥまでの時間Ｔ１は、被検体が息を吸い切ってから息を吐き切るまでに要する時間を表すことになる。したがって、出力機能１６ｃは、呼吸信号が極小となる時点ＰＩから時間Ｔ１が経過した時点を、被検体に息を吸わせるタイミングと推定する。
【００６１】
そして、出力機能１６ｃは、被検体に「息を吸って」の指示を出力するタイミングＰＶ１を決めるための時間として、時間Ｔ１から反応時間ＲＴ１を差し引いた時間ＴＶ１を算出する。すなわち、被検体が息を吸い切った時点から時間ＴＶ１が経過したタイミングＰＶ１で「息を吸って」の指示を出力することによって、推定したタイミング（すなわち、被検体が息を吐き切ったタイミング）で被検体に息を吸わせることができるようになる。
【００６２】
さらに、出力機能１６ｃは、呼吸波形に基づいて、被検体に息を吐かせるタイミングを推定する。ここで、呼吸信号が極大となる時点ＰＥから極小となる時点ＰＩまでの時間Ｔ２は、被検体が息を吐き切ってから息を吸い切るまでに要する時間を表すことになる。したがって、出力機能１６ｃは、呼吸信号が極大となる時点ＰＥから時間Ｔ２が経過した時点を、被検体に息を吐かせるタイミングと推定する。
【００６３】
そして、出力機能１６ｃは、被検体に「吐いて」の指示を出力するタイミングＰＶ２を決めるための時間として、時間Ｔ２から反応時間ＲＴ２を差し引いた時間ＴＶ２を算出する。すなわち、被検体が息を吐き切ってから時間ＴＶ２が経過したタイミングＰＶ２で「吐いて」の指示を出力することによって、推定されたタイミング（すなわち、被検体が息を吸い切ったタイミング）で、被検体に息を吐かせることができるようになる。
【００６４】
また、例えば、図６に示すように、出力機能１６ｃは、被検体に予め決められた回数だけ「息を吸って」及び「吐いて」の指示をした後に「止めてください」の指示をしたときの呼吸波形に基づいて、被検体に息止めをさせるタイミングを推定する。
【００６５】
具体的には、出力機能１６ｃは、測定機能１６ｂによって測定された呼吸波形に基づいて、予め決められた回数だけ呼吸信号が極小となる時点ＰＩと呼吸信号が極大となる時点ＰＥとを検出した後に、次に呼吸信号が極小となる時点ＰＩから呼吸信号が極大となる時点ＰＥまでの時間Ｔ１を測定する。
【００６６】
ここで、前述したように、呼吸信号が極小となる時点ＰＩから極大となる時点ＰＥまでの時間Ｔ１は、被検体が息を吸い切ってから息を吐き切るまでに要する時間を表すことになる。したがって、出力機能１６ｃは、予め決められた回数だけ呼吸信号が極小となる時点ＰＩと呼吸信号が極大となる時点ＰＥとを検出した後に、次に呼吸信号が極小となる時点ＰＩから時間Ｔ１が経過した時点を、被検体に息止めをさせるタイミングと推定する。
【００６７】
そして、出力機能１６ｃは、被検体に「止めてください」の指示を出力するタイミングＰＶ３を決めるための時間として、時間Ｔ１から反応時間ＲＴ３を差し引いた時間ＴＶ３を算出する。すなわち、被検体が息を吸い切った時点から時間ＴＶ３が経過したタイミングＰＶ３で「止めてください」の指示を出力することによって、推定したタイミング（すなわち、被検体が息を吐き切ったタイミング）で被検体に息止めをさせることができるようになる。
【００６８】
こうして、呼吸に関する指示を出力するタイミングを決めるための時間を算出した後に、出力機能１６ｃは、制御機能１６ａに対して、ナビゲータスキャンを実行するよう指示する。このとき、制御機能１６ａは、プリスキャンで実行されたナビゲータスキャンと同一のナビゲータスキャンを繰り返し実行する。そして、出力機能１６ｃは、ナビゲータスキャンによって連続的に収集される呼吸信号に基づいて、呼吸信号が極大となったタイミングと、呼吸信号が極小となったタイミングとを検出する。
【００６９】
このとき、例えば、出力機能１６ｃは、ナビゲーションスキャンによって呼吸信号が収集されるごとに、呼吸波形の微分波形を算出し、算出した微分波形に基づいて、呼吸信号が極大となったタイミングと、呼吸信号が極小となったタイミングとを検出する。具体的には、出力機能１６ｃは、呼吸波形の微分波形において、微分値が減少する過程でゼロになった時点を検出し、検出した時点を、呼吸信号が極大となったタイミングとする。また、出力機能１６ｃは、呼吸波形の微分波形において、微分値が増加する過程でゼロになった時点を検出し、検出した時点を、呼吸信号が極小となったタイミングとする。
【００７０】
そして、出力機能１６ｃは、呼吸信号が極小となったタイミングを検出した場合には、そのタイミングから時間ＴＶ１が経過したタイミングで「息を吸って」の指示を出力する。また、出力機能１６ｃは、呼吸信号が極大となったタイミングを検出した場合には、そのタイミングから時間ＴＶ２が経過したタイミングで「吐いて」の指示を出力する。
【００７１】
図７及び８は、第１の実施形態における出力機能１６ｃによって行われる呼吸ガイダンスの実施の一例を示す図である。図７及び８において、横軸は時間を示しており、縦軸は呼吸信号の信号値を示している。また、図７及び８において、実線の曲線は、呼吸信号の経時的な変化によって表される呼吸波形を示しており、破線の曲線は、呼吸波形の微分波形を示している。
【００７２】
例えば、図７に示すように、出力機能１６ｃは、呼吸信号が極小となったタイミングＰＩを検出した場合には、そのタイミングＰＩから時間ＴＶ１が経過したタイミングＰＶ１で、「息を吸って」の指示を出力する。また、出力機能１６ｃは、呼吸信号が極大となったタイミングＰＥを検出した場合には、そのタイミングＰＥから時間ＴＶ２が経過したタイミングＰＶ２で、「吐いて」の指示を出力する。
【００７３】
そして、例えば、図８に示すように、出力機能１６ｃは、予め決められた回数だけ「息を吸って」及び「吐いて」の指示を出力した後に、呼吸信号が極小となったタイミングＰＩを検出した場合に、そのタイミングＰＩから時間ＴＶ３が経過したタイミングＰＶ３で、被検体に「止めてください」の指示を出力する。
【００７４】
この結果、被検体の呼吸波形に基づいて推定されたタイミングで呼吸が行われるように、被検体の反応時間を考慮して、呼吸に関する指示が早めに出力されることになる。これにより、被検体は、自身の呼吸の動作に合わせた自然なタイミングで呼吸を行うことができるようになり、被検体の負担を軽減することができる。
【００７５】
図２に戻って、その後、出力機能１６ｃは、呼吸停止撮像のスキャンを実行する（ステップＳ１０７）。具体的には、出力機能１６ｃは、「止めてください」の指示を出力してから、当該指示に対応する反応時間ＲＴ３が経過したタイミングで、制御機能１６ａに対して呼吸停止撮像のスキャンを開始するように指示する。制御機能１６ａは、出力機能１６ｃからスキャンを開始するように指示されると、あらかじめ設定された撮像条件に基づいて、呼吸停止撮像のスキャンを実行する。
【００７６】
または、例えば、出力機能１６ｃは、「止めてください」の指示を出力してから、当該指示に対応する反応時間ＲＴ３が経過したタイミングで、呼吸停止撮像のスキャンを自動的に実行するのではなく、スキャンの開始が可能になったことを示す情報をディスプレイ１１に出力してもよい。この場合には、制御機能１６ａは、操作者からスキャンを開始するように指示された時点で、呼吸停止撮像のスキャンを実行する。
【００７７】
なお、上述した各ステップのうち、ステップＳ１０１〜Ｓ１０４は、例えば、処理回路１６が測定機能１６ｂに対応する所定のプログラムを記憶回路１２から呼び出して実行することにより実現される。また、ステップＳ１０５〜Ｓ１０７は、例えば、処理回路１６が出力機能１６ｃに対応する所定のプログラムを記憶回路１２から呼び出して実行することにより実現される。
【００７８】
上述したように、第１の実施形態では、呼吸に関する指示に対する被検体の反応時間に基づいて、指示が出力されるタイミングが決定されるので、被検体の負担が軽減される結果、被検体が息止めを持続できるようになる。これにより、呼吸停止撮像において、被検体の個人差による画質の劣化を抑えることができるようになる。また、被検体が息止めを持続できるようになる結果、１回の息止め撮影時間が延長され、その分撮影回数の増加を抑えることができ、検査時間の短縮化に寄与することができる。
【００７９】
（第２の実施形態）
なお、上述した実施形態では、出力機能１６ｃが、プリスキャンで測定された呼吸波形に基づいて、被検体に動作を開始させるタイミングを推定し、推定したタイミングから反応時間を差し引いたタイミングで、呼吸に関する指示を出力する場合の例を説明したが、実施形態はこれに限られない。
【００８０】
例えば、出力機能１６ｃは、本スキャン開始後に、ナビゲータスキャンによって収集される呼吸信号に基づいて、随時、呼吸に関する指示を出力するタイミングを予測し、予測したタイミングに達した時点で、当該指示を出力するようにしてもよい。以下では、このような場合の例を第２の実施形態として説明する。なお、第２の実施形態では、上述した実施形態と異なる点を中心に説明することとし、上述した実施形態と重複する内容については説明を省略する。
【００８１】
本実施形態では、出力機能１６ｃは、上述した実施形態と同様に被検体の反応時間（ＲＴ１、ＲＴ２、ＲＴ３）を測定した後に、操作者から本スキャンを開始する指示を受け付けた場合に、制御機能１６ａに対して、ナビゲータスキャンを実行するよう指示する。
【００８２】
そして、本実施形態では、出力機能１６ｃは、ナビゲータスキャンによって呼吸信号が収集されるごとに、次に呼吸信号が極小又は極大になるまでの呼吸波形を予測し、さらに、予測した呼吸波形の微分波形を算出し、算出した微分波形と、被検体の反応時間とに基づいて、呼吸に関する指示を反応時間の分だけ早めに出力する。
【００８３】
具体的には、本実施形態では、出力機能１６ｃは、上述した実施形態と同様に、ナビゲータスキャンによって収集される呼吸信号に基づいて、呼吸信号が極大となったタイミングと、呼吸信号が極小となったタイミングとを検出する。
【００８４】
そして、本実施形態では、出力機能１６ｃは、呼吸信号が極小となったタイミング（すなわち、被検体が息を吸い切ったタイミング）を検出した場合には、そのタイミングから次に呼吸信号が極大となるタイミングまでの間、ナビゲータスキャンによって呼吸信号が収集されるたびに、次に呼吸信号が極大となるタイミング（すなわち、次に被検体が息を吐き切るタイミング）までの呼吸波形を予測する。また、出力機能１６ｃは、予測した呼吸波形の微分波形を算出し、さらに、算出した微分波形を反応時間ＲＴ１の分だけマイナス方向にシフトした微分波形を算出し、当該微分波形の信号値がゼロとなるタイミングで、「息を吸って」の指示を出力する。これにより、呼吸波形の信号値が極大となると予測されるタイミング（すなわち、被検体が息を吐き切ると予測されるタイミング）より反応時間ＲＴ１だけ早めに、「息を吸って」の指示が出力されることになる。
【００８５】
図９は、第２の実施形態における出力機能によって行われる呼吸ガイダンスの実施の一例を示す図である。図９において、横軸は時間を示しており、縦軸は呼吸信号の信号値を示している。また、図９において、実線の曲線は、呼吸信号の経時的な変化によって表される呼吸波形を示しており、破線の曲線は、呼吸波形の微分波形を示しており、一点鎖線の曲線は、反応時間を反映した微分波形を示している。なお、図９に示す時刻ｔ＝ｔ１、ｔ２、ｔ３は、それぞれ、ナビゲータスキャンによって呼吸波形が収集されたタイミングを示している（ｔ１＜ｔ２＜ｔ３）。
【００８６】
例えば、図９の（ａ）に示すように、本実施形態では、出力機能１６ｃは、呼吸信号が極小となったタイミングＰＩを検出した場合に（ｔ＝ｔ１）、ナビゲータスキャンによって収集された呼吸信号に基づいて、次に呼吸信号が極大となるタイミングＰＥまでの呼吸波形を予測する（図９に実線で示す波形のうち細い線で示す部分の波形）。ここで、出力機能１６ｃは、プリスキャンで測定された呼吸波形に基づいて呼吸波形を予測してもよいし、本スキャンで直前までに収集された呼吸信号に基づいて呼吸波形を予測してもよい。その後、出力機能１６ｃは、予測した呼吸波形の微分波形を算出する（図９に破線で示す波形のうち細い線で示す部分の波形）。そして、出力機能１６ｃは、算出した微分波形の位相を反応時間ＲＴ１だけマイナス方向にシフトすることで、反応時間ＲＴ１を反映した微分波形を算出し（図９に一点鎖線で示す波形のうち細い線で示す部分の波形）、当該微分波形の信号値がゼロとなるタイミングＰＶ１を特定する。
【００８７】
その後、例えば、図９の（ｂ）に示すように、出力機能１６ｃは、呼吸信号が極小となったタイミングＰＩから次に呼吸信号が極大となるタイミングＰＥまでの間は、ナビゲータスキャンによって呼吸信号が収集されるたびに（ｔ＝ｔ２）、次に呼吸信号が極大となるタイミングＰＥまでの呼吸波形の予測、微分波形の算出、反応時間ＲＴ１を反映した微分波形の算出、及び当該微分波形の信号値がゼロとなるタイミングＰＶ１の特定を行う。
【００８８】
そして、例えば、図９の（ｃ）に示すように、出力機能１６ｃは、反応時間ＲＴ１を反映した微分波形の信号値がゼロとなるタイミングＰＶ１と、当該微分波形のもとになった呼吸信号が収集された時点とが一致した場合に（ｔ＝ｔ３）、「息を吸って」の指示を出力する。これにより、例えば、図９の（ｃ）に示すように、呼吸波形の信号値が極大となると予測されるタイミング（すなわち、被検体が息を吐き切ると予測されるタイミング）より反応時間ＲＴ１だけ早めに、「息を吸って」の指示が出力されることになる。
【００８９】
一方、本実施形態では、出力機能１６ｃは、呼吸信号が極大となったタイミング（すなわち、被検体が息を吐き切ったタイミング）を検出した場合には、そのタイミングから次に呼吸信号が極小となるタイミングまでの間、ナビゲータスキャンによって呼吸信号が収集されるたびに、次に呼吸信号が極小となるタイミング（すなわち、次に被検体が息を吸い切るタイミング）までの呼吸波形を予測する。また、出力機能１６ｃは、予測した呼吸波形の微分波形を算出し、さらに、算出した微分波形を反応時間ＲＴ２の分だけマイナス方向にシフトした微分波形を算出し、当該微分波形の信号値がゼロとなるタイミングで、「吐いて」の指示を出力する。これにより、呼吸波形の信号値が極小となると予測されるタイミング（すなわち、被検体が息を吸い切ると予測されるタイミング）より反応時間ＲＴ２だけ早めに、「吐いて」の指示が出力されることになる。
【００９０】
また、本実施形態では、出力機能１６ｃは、呼吸信号が極小となったタイミング（すなわち、被検体が息を吸い切ったタイミング）を検出した際に、その時点で、既に、予め決められた回数だけ「息を吸って」及び「吐いて」の指示を出力していた場合には、微分波形を反応時間ＲＴ１の分だけマイナス方向にシフトした微分波形の信号値がゼロとなるタイミングで、「息を吸って」の指示ではなく、「止めてください」の指示を出力する。これにより、呼吸波形の信号値が極大となると予測されるタイミング（すなわち、被検体が息を吐き切ると予測されるタイミング）より反応時間ＲＴ３だけ早めに、「止めてください」の指示が出力されることになる。そして、出力機能１６ｃは、上述した実施形態と同様に、「止めてください」の指示を出力してから、当該指示に対応する反応時間ＲＴ３が経過したタイミングで、制御機能１６ａに対して呼吸停止撮像のスキャンを開始するように指示する。
【００９１】
上述したように、第２の実施形態では、第１の実施形態と同様に、被検体の呼吸波形に基づいて推定されたタイミングで呼吸が行われるように、被検体の反応時間を考慮して、呼吸に関する指示が早めに出力されることになる。したがって、第２の実施形態によれば、第１の実施形態と同様に、被検体が自身の呼吸の動作に合わせた自然なタイミングで呼吸を行うことができるようになり、被検体の負担を軽減することができる。
【００９２】
なお、上述した実施形態は、適宜に変形して実施することも可能である。
【００９３】
まず、上述した実施形態では、出力機能１６ｃが、予め決められた回数だけ「息を吸って」及び「吐いて」の指示をした後に「止めてください」の指示を出力する場合の例を説明したが、実施形態はこれに限られない。例えば、出力機能１６ｃは、本スキャン中に、被検体の呼吸が安定した後に、「止めてください」の指示を出力するようにしてもよい。
【００９４】
この変形例では、出力機能１６ｃは、本スキャン中に、ナビゲータスキャンによって収集される呼吸信号に基づいて、被検体の呼吸が安定しているか否かを判定する。例えば、出力機能１６ｃは、予め同じ被検体の呼吸信号に基づいて作成された所定数の周期分の呼吸波形のテンプレートと、ナビゲータスキャンによって収集された呼吸信号に基づく所定数の周期分の呼吸波形とを比較し、それぞれの類似度が閾値を超えている場合に、被検体の呼吸が安定していると判定する。または、出力機能１６ｃは、ナビゲータスキャンによって収集された呼吸信号に基づく所定数の周期分の呼吸波形について、周期ごとの呼吸波形のばらつきを算出し、算出したばらつきの差が閾値以下となっている場合に、被検体の呼吸が安定していると判定する。この場合に、例えば、出力機能１６ｃは、呼気の周期に関するばらつきと吸気の周期に関するばらつきとをそれぞれ算出し、それらを複合的に判断することで、被検体の呼吸が安定しているか否かを判定してもよい。そして、出力機能１６ｃは、被検体の呼吸が安定していると判定した場合に、次に「吐いて」の指示をした後で、上述した実施形態と同様に、「止めてください」の指示を出力する。
【００９５】
また、上述した実施形態では、ＭＲＩ装置１００によって呼吸停止撮像が行われる場合の例を説明したが、実施形態はこれに限られない。例えば、ＭＲＩ装置１００によって呼吸同期撮像が行われる場合でも、同様に、被検体の応答特性に基づいて呼吸ガイダンスを実施することが可能である。
【００９６】
呼吸同期撮像では、被検体に対して、息を吸わせるための指示（例えば、「息を吸って」という音声による指示）と、息を吐かせるための指示（例えば、「吐いて」という音声による指示）とを交互に与えながら、被検体の動きが少ないタイミングで、繰り返し、画像生成用のデータ収集が行われる。例えば、被検体の呼吸周期ごとに、被検体が息を吐き切ったタイミング、又は被検体が息を吸い切ったタイミングで、データ収集が行われる。
【００９７】
このような呼吸同期撮像が行われる場合に、例えば、測定機能１６ｂは、上述した実施形態と同様に、プリスキャンにおいて、被検体の呼吸信号を収集し、収集した呼吸信号に基づいて、被検体の反応時間を測定する。そして、出力機能１６ｃは、呼吸同期撮像の実行中に、測定機能１６ｂによって測定された呼吸波形及び反応時間に基づいて、呼吸ガイダンスを実施する。
【００９８】
具体的には、測定機能１６ｂは、上述した実施形態と同様に、被検体に「息を吸って」と指示したときの反応時間ＲＴ１と、被検体に「吐いて」と指示したときの反応時間ＲＴ２とをそれぞれ測定する。そして、出力機能１６ｃは、呼吸同期撮像の実行中に、被検体の呼吸波形に基づいて、被検体に息を吸わせるタイミングを推定し、推定したタイミングから反応時間ＲＴ１を差し引いたタイミングで、「息を吸って」の指示を出力する。また、出力機能１６ｃは、呼吸同期撮像の実行中に、被検体の呼吸波形に基づいて、被検体に息を吐かせるタイミングを推定し、推定したタイミングから反応時間ＲＴ２を差し引いたタイミングで、「吐いて」の指示を出力する。ここで、出力機能１６ｃは、呼吸同期撮像を開始した後に、最初の数回だけ指示を行ってもよいし、最後まで指示を続けてもよい。
【００９９】
一般的に、呼吸同期撮像では、被検体の呼吸が不安定な状態となった場合に、画質が劣化することがあり得る。そこで、例えば、出力機能１６ｃは、呼吸同期撮像の実行中に、被検体の呼吸波形に基づいて、呼吸周期ごとに、被検体の呼吸が不安定な状態となっているか否かを判定し、不安定であると判定される間は、呼吸ガイダンスを継続するようにしてもよい。また、例えば、出力機能１６ｃは、被検体の呼吸が不安定な状態となっていると判定した場合には、その呼吸周期で収集されたデータを棄却し、次の呼吸周期で、又は、予定されている繰り返し回数だけデータ収集を行った後に、棄却したデータを収集し直すようにしてもよい。
【０１００】
また、上述した実施形態では、被検体の応答特性として反応時間が用いられる場合の例を説明したが、実施形態はこれに限られない。例えば、被検体には、強い刺激が与えられないと指示に反応しない人や、弱い刺激でも反応する人がいると考えられる。そこで、応答特性として、このような、被検体が反応可能な刺激の強さが用いられてもよい。
【０１０１】
例えば、測定機能１６ｂは、被検体の応答特性として、当該被検体が反応可能な指示の大きさを測定する。そして、出力機能１６ｃは、測定機能１６ｂによって測定された指示の大きさに応じて、呼吸ガイダンスの音量を調整する。具体的には、出力機能１６ｃは、測定機能１６ｂによって測定された指示の強さが大きい場合には、呼吸に関する指示の音量を大きくし、測定機能１６ｂによって測定された指示の強さが小さい場合には、呼吸に関する指示の音量を小さくする。
【０１０２】
また、上述した実施形態では、呼吸停止撮像が行われる際に、「止めてください」の指示を出力してから当該指示に対応する反応時間が経過したタイミングで撮像のスキャンを開始する場合の例を説明したが、実施形態はこれに限られない。例えば、撮像において実行されるイベントのうち、被検体の動きの影響が少ないものについては、反応時間の間に実行するようにしてもよい。
【０１０３】
例えば、ｋ空間の高周波成分に対応するデータの収集や、プリパルスの印加、プリスキャンは、被検体の動きの影響が比較的少ないと考えられる。ここでいうプリパルスは、例えば、データ収集用のパルスシーケンスとしてＳＳＦＰのパルスシーケンスが用いられる場合に各組織の信号を定常状態にするために印加されるダミーパルス等である。そこで、例えば、出力機能１６ｃは、呼吸停止撮像が行われる際に、「止めてください」の指示を出力してから当該指示に対応する反応時間が経過するまでの間に、ｋ空間の高周波成分に対応するデータの収集、プリパルスの印加、又は、プリスキャンを行うように撮像を制御してもよい。
【０１０４】
例えば、出力機能１６ｃは、撮像条件に基づいて、プリパルスの印加やプリスキャンの実行にかかる時間を予め算出し、算出した時間が反応時間より短い場合に、反応時間の間に、プリパルスの印加やプリスキャンの実行を行うように制御する。
【０１０５】
また、例えば、出力機能１６ｃは、ｋ空間の高周波成分に対応するデータの収集を低周波成分に対応するデータの収集より前に行うように、データを収集する順序を制御する。そして、出力機能１６ｃは、高周波成分に対応するデータの収集については、「止めてください」の指示を出力してから反応時間が経過する前に行い、低周波成分に対応するデータの収集については、「止めてください」の指示を出力してから反応時間が経過した後に行うように、データ収集のタイミングを制御する。
【０１０６】
また、上述した実施形態では、呼吸に関する指示を音声で行う場合の例を説明したが、指示のための音声の周波数は、撮像において実行されるデータ収集用のパルスシーケンスで印加される傾斜磁場パルスの周波数とは異なる周波数とするのが望ましい。例えば、出力機能１６ｃは、呼吸に関する指示を行う際に、撮像条件に基づいて、データ収集用のパルスシーケンスで印加される傾斜磁場パルスの周波数とは異なる周波数で音声を出力するように、スピーカ１７を制御する。
【０１０７】
また、呼吸に関する指示は、必ずしも音声でなくてもよい。例えば、出力機能１６ｃは、音声による指示の代わりに、又は、音声による指示と同時に、視覚的な指示を行ってもよい。例えば、出力機能１６ｃは、視覚的な指示として、指示の内容を示す文字情報やグラフィック、画像等を、ディスプレイ１１を出力する。
【０１０８】
また、例えば、上述した実施形態において、心拍変動解析に基づいて、被検体のリラックス度を判定し、被検体ができるだけリラックスした状態で、呼吸波形及び反応時間の測定、及び、呼吸停止撮像が行われるようにしてもよい。なお、ここでいう心拍変動解析としては、被検体の心拍情報から被検体のリラックス度を判定することが可能な各種の公知の技術を用いることが可能である。
【０１０９】
この場合には、例えば、測定機能１６ｂは、心電計等から取得した被検体の心拍情報に基づいて、当該被検体のリラックス度を判定し、当該リラックス度が所定の閾値を超えていた場合に、呼吸波形及び反応時間を測定する。例えば、測定機能１６ｂは、操作者からプリスキャン開始の指示を受け付けた場合に、リラックス度を判定する。そして、例えば、測定機能１６ｂは、リラックス度が所定の閾値以下の場合には、少し待ってから測定することを促すメッセージをディスプレイ１１に出力する。
【０１１０】
また、例えば、出力機能１６ｃは、心電計等から取得した被検体の心拍情報に基づいて、当該被検体のリラックス度を判定し、当該リラックス度が所定の閾値を超えていた場合に、呼吸停止撮像を行う。例えば、出力機能１６ｃは、操作者から本スキャンを開始する指示を受け付けた場合に、リラックス度を判定する。そして、例えば、出力機能１６ｃは、リラックス度が所定の閾値以下の場合には、少し待ってから本スキャンを行うことを促すメッセージをディスプレイ１１に出力する。
【０１１１】
また、上述した実施形態では、測定機能１６ｂが、被検体から観測された呼吸波形の微分波形に基づいて、反応時間を測定する場合の例を説明したが、実施形態はこれに限られない。例えば、測定機能１６ｂは、被検体から観測された呼吸波形と当該呼吸波形の微分波形との複合情報に基づいて、反応時間を測定してもよい。
【０１１２】
この場合には、例えば、測定機能１６ｂは、呼吸波形及び微分波形それぞれにおいて、波形の連続性が失われている範囲を検出し、両方が重複する範囲を用いて、反応時間を測定する。または、例えば、測定機能１６ｂは、呼吸波形及び微分波形それぞれにおいて、波形の連続性が失われている範囲を検出し、両方が重複する範囲と一方のみを含む範囲とを合わせた範囲を用いて、反応時間を測定する。また、例えば、測定機能１６ｂは、呼吸波形に基づく３つ以上の異なる波形を用いて反応時間を測定する場合には、それぞれの波形から検出した範囲のうち、同一となった範囲が最も多い範囲を採用して、反応時間を測定する。
【０１１３】
また、上述した実施形態では、プリスキャンにおいて測定された反応時間に基づいて決められた指示のタイミングが本スキャンで継続して用いられる場合の例を説明したが、実施形態はこれに限られない。例えば、呼吸停止撮像が複数回行われるような場合には、時間が経つにつれて、被検体の反応時間が変化する場合もあり得る。そこで、例えば、測定機能１６ｂは、被検体の反応時間を再測定してもよい。
【０１１４】
この場合には、出力機能１６ｃは、再測定された反応時間に基づいて、呼吸に関する指示を出力するタイミングを調整する。例えば、時間が経つにつれて、被検体が慣れてきたため反応時間が短くなってきたような場合には、出力機能１６ｃは、反応時間が短くなった分だけ、指示を出力するタイミングを遅くする。また、例えば、時間が経つにつれて、被検体が疲れてきて反応時間が長くなってきたような場合には、出力機能１６ｃは、反応時間が長くなった分だけ、指示を出力するタイミングを早くする。
【０１１５】
また、上述した実施形態では、プリスキャンにおいて、測定機能１６ｂが被検体の呼吸波形及び反応時間の測定を行う場合の例を説明したが、実施形態はこれに限られない。例えば、測定機能１６ｂによる呼吸波形及び反応時間の測定は、本スキャンの一部として、呼吸停止撮像を行う前に行われてもよい。また、例えば、心臓等の検査では、一回の検査において、それぞれが呼吸停止撮像のスキャンを含む複数のプロトコルが実行される場合もあり得る。その場合には、測定機能１６ｂによる呼吸波形及び反応時間の測定は、プロトコルごとに行われてもよいし、検査の最初に行われてもよい。
【０１１６】
また、上述した実施形態では、出力機能１６ｃが、スピーカ１７を介して、呼吸に関する指示を音声で出力する場合の例を説明したが、実施形態はこれに限られない。例えば、出力機能１６ｃは、呼吸に関する指示を文字やグラフィック等で表した情報をディスプレイ１１に出力してもよい。これにより、例えば、被検体の耳が不自由である場合のように、音声によって指示を伝えることが難しい場合であっても、被検体が呼吸に関する指示を視覚的に認識できるようになる。
【０１１７】
また、上述した実施形態では、制御機能１６ａによって実行されるナビゲータスキャンとして、被検体の横隔膜付近に設定された領域から磁気共鳴信号を収集するナビゲータスキャンが用いられる場合の例を説明したが、実施形態はこれに限られない。例えば、制御機能１６ａは、ナビゲータスキャンとして、ラジアルスキャンやＰＲＯＰＥＬＬＥＲ（Periodically  Rotated  Overlapping  Parallel  Lines  with  Enhanced  Reconstruction）スキャン等のように、ｋ空間の中心付近のデータを繰り返し収集することによって被検体の動きを検出可能なスキャンを実行してもよい。
【０１１８】
また、上述した実施形態では、測定機能１６ｂ及び出力機能１６ｃが、ナビゲータスキャンによって収集された呼吸信号を用いる場合の例を説明したが、実施形態はこれに限られない。例えば、測定機能１６ｂ及び出力機能１６ｃは、被検体の腹部等に装着された呼吸センサによって検出された呼吸信号を用いてもよい。この場合に、呼吸センサは、呼吸による被検体の周期的な動きを検出する。例えば、呼吸センサ１７は、呼吸による動きを空気圧として検出し、検出した空気圧を電気信号に変換して呼吸信号として出力する。
【０１１９】
また、上述した実施形態では、ＭＲＩ装置について説明したが、実施形態はこれに限られない。例えば、Ｘ線ＣＴ（Computed  Tomography）装置のように、呼吸停止撮像を行うことが可能な他の医用画像診断装置でも、同様の実施形態が実施可能である。その場合には、例えば、医用画像診断装置が有するコンソール等の処理回路が、上述した測定機能１６ｂ及び出力機能１６ｃを有するように構成される。なお、例えば、Ｘ線ＣＴ装置において実施される場合には、上述した呼吸センサを用いて呼吸信号の収集が行われる。
【０１２０】
なお、上述した実施形態において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、記憶回路１２にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【０１２１】
以上説明した少なくとも１つの実施形態によれば、呼吸停止撮像又は呼吸同期撮像において、被検体の個人差による画質の劣化を抑え、かつ被検体への負担が少ない医用画像診断装置を提供することができる。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２３】
１００  磁気共鳴イメージング（Magnetic  Resonance  Imaging：ＭＲＩ）装置
１６  処理回路
１６ｂ  測定機能
１６ｃ  出力機能
【図１】
2018108307.tif 000003
【図２】
2018108307.tif 000004
【図３】
2018108307.tif 000005
【図４】
2018108307.tif 000006
【図５】
2018108307.tif 000007
【図６】
2018108307.tif 000008
【図７】
2018108307.tif 000009
【図８】
2018108307.tif 000010
【図９】
2018108307.tif 000011